(57)【要約】【課題】加工費の増加を抑えつつ、コルゲートチューブのテープ巻きされる箇所への装着について容易化を図ることが可能なコルゲートクランプを提供する。【解決手段】コルゲートクランプ１は、ワイヤハーネスが内挿されるコルゲートチューブの外周に装着されてコルゲートチューブを車両側に固定するためのものである。このコルゲートクランプ１は、略半円筒形となる一対の分割筒体１０，２０を備えている。一対の分割筒体１０，２０は、ヒンジ５０を介して接続されると共に、ヒンジ５０の逆側となる自由端側が互いにロック可能となっている。さらに、一対の分割筒体１０，２０は、その内側において周状に延びる突条１１，２１を有し、突条１１，２１は、自由端側をロックさせるべく一対の分割筒体１０，２０を筒状に組み合わせる操作時にコルゲートチューブ上のテープを破断する破断形状となっている。【選択図】図１
2020061879.tif 000002
【特許請求の範囲】
【請求項１】
ワイヤハーネスが内挿されるコルゲートチューブの外周に装着されて前記コルゲートチューブを車両側に固定するためのコルゲートクランプであって、
略半円筒形となる一対の分割筒体を備え、
前記一対の分割筒体は、ヒンジを介して接続されると共に、前記ヒンジの逆側となる自由端側が互いにロック可能となっており、
前記一対の分割筒体の少なくとも一方は、その内側において周状に延びる突条を有し、
前記突条は、前記自由端側をロックさせるべく、前記一対の分割筒体を筒状に組み合わせる操作時に前記コルゲートチューブ上のテープを破断する破断形状となっている
ことを特徴とするコルゲートクランプ。
【請求項２】
前記一対の分割筒体の少なくとも一方は、前記コルゲートチューブの長手方向に延設されると共に、前記一対の分割筒体を筒状に組み合わせた際に、前記コルゲートチューブ上のテープに対して弾性押圧するスカート部を有する
ことを特徴とする請求項１に記載のコルゲートクランプ。
【発明の詳細な説明】
【技術分野】
【０００１】
本発明は、コルゲートクランプに関する。
【背景技術】
【０００２】
従来、ワイヤハーネスが内挿されるコルゲートチューブの外周面に装着されて、ワイヤハーネスを固定部材に固定するコルゲートクランプが知られている（特許文献１，２参照）。このコルゲートクランプは、例えば略半円筒形となる一方の分割筒体と他方の分割筒体とを備え、双方の分割筒体がヒンジを介して接続されている。一対の分割筒体はヒンジの逆側となる自由端側がロック機構によってロック可能となっている。さらに、一対の分割筒体は、その内側において周状に延びる突条を備えている。突条は、長手方向に凹凸が連続するコルゲートチューブの凹部に嵌まり込むようになっている。この突条がコルゲートチューブの凹部に嵌り込むことで、コルゲートチューブをその長手方向に固定可能となっている。
【先行技術文献】
【特許文献】
【０００３】
【特許文献１】特開２０１０−１３３５４３号公報
【特許文献２】特開平１０−１１８０７１号公報
【発明の概要】
【発明が解決しようとする課題】
【０００４】
しかし、コルゲートチューブはその外周がテープ巻きされることがあり、テープ巻きされた箇所には突条を嵌め込むことができず、コルゲートクランプの装着が困難となってしまう。そこで、装着が困難とならないように、コルゲートチューブのうちコルゲートクランプの装着箇所については意図的にテープ巻きの未設定区間とする作業が必要となり、加工費の増加を招いてしまう。
【０００５】
本発明はこのような従来の課題を解決するためになされたものであり、その目的とするところは、加工費の増加を抑えつつ、コルゲートチューブのテープ巻きされる箇所への装着について容易化を図ることが可能なコルゲートクランプを提供することにある。
【課題を解決するための手段】
【０００６】
本発明に係るコルゲートクランプは、ワイヤハーネスが内挿されるコルゲートチューブの外周に装着されてコルゲートチューブを車両側に固定するためのものである。このコルゲートクランプは、略半円筒形となる一対の分割筒体を備えている。一対の分割筒体は、ヒンジを介して接続されると共に、ヒンジの逆側となる自由端側が互いにロック可能となっている。さらに、一対の分割筒体の少なくとも一方は、その内側において周状に延びる突条を有し、突条は、自由端側をロックさせるべく一対の分割筒体を筒状に組み合わせる操作時にコルゲートチューブ上のテープを破断する破断形状となっている。
【発明の効果】
【０００７】
本発明によれば、加工費の増加を抑えつつ、コルゲートチューブのテープ巻きされる箇所への装着について容易化を図ることが可能なコルゲートクランプを提供することができる。
【図面の簡単な説明】
【０００８】
【図１】本発明の実施形態に係るコルゲートクランプを示す第１の斜視図である。
【図２】本発明の実施形態に係るコルゲートクランプを示す第２の斜視図である。
【図３】本発明の実施形態に係るコルゲートクランプの側面図である。
【図４】図１〜図３に示した突条の一部拡大図である。
【図５】一対の分割筒体の組み付け前におけるコルゲートクランプの断面を示す概略図である。
【図６】一対の分割筒体の組み付け後におけるコルゲートクランプの断面を示す概略図である。
【発明を実施するための形態】
【０００９】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾が発生しない範囲内において、適宜公知又は周知の技術が適用されていることはいうまでもない。
【００１０】
図１は、本発明の実施形態に係るコルゲートクランプを示す第１の斜視図であり、図２は、本発明の実施形態に係るコルゲートクランプを示す第２の斜視図である。また、図３は、本発明の実施形態に係るコルゲートクランプの側面図である。
【００１１】
図１〜図３に示すように、コルゲートクランプ１は、ワイヤハーネス（図示せず）が内挿されるコルゲートチューブ１００（図２参照）の外周に装着されるものである。コルゲートチューブ１００は、合成樹脂材料から構成され、ワイヤハーネスの電線束を包囲する円筒状をなしている。図２に示すコルゲートチューブ１００の外周面には、周方向に延びる環状の凹部１０１と凸部１０２が長手方向に交互に形成されている。また、コルゲートチューブ１００はテープＴが巻かれている。コルゲートクランプ１は、このようなテープＴが巻かれたコルゲートチューブ１００に組み付けられて、コルゲートチューブ１００を車両側に固定するために用いられる。
【００１２】
コルゲートクランプ１は、一対の分割筒体１０，２０と、ロック機構３０と、取付部４０と、ヒンジ５０とを備えている。
【００１３】
一対の分割筒体１０，２０は、それぞれが略半円筒形となっており、ヒンジ５０を介して接続されている。一対の分割筒体１０，２０は、略半円筒形の一端にヒンジ５０が接続されている。一対の分割筒体１０，２０は、ヒンジ５０を屈曲させることで、図３に示すように両者を組み合わせて略筒状となるように操作可能となっている。
【００１４】
第１分割筒体１０の他端側（ヒンジ５０の逆側となる自由端側）には、ロック機構３０を構成する係止部３１が設けられている。また、第２分割筒体２０の他端側には、ロック機構３０を構成する被係止部３２が設けられている。
【００１５】
係止部３１は、第１分割筒体１０の内周面１０ａから突出して設けられる板材３１ａと、板材３１ａの先端において板材３１ａの垂直方向に突出する爪部（図示せず）とを有している。
【００１６】
被係止部３２は、第２分割筒体２０から突出するロック爪３２ａを有している。ロック爪３２ａは、係止部３１と同様に板材３２ｂと、板材３２ｂから突出する爪部３２ｃとを有している。
【００１７】
一対の分割筒体１０，２０は、少なくとも一方の板材３１ａ，３２ｂが弾性変形可能となっており、図３に示すように組み合わせられたときに、図１に示す係止部３１の爪部と、被係止部３２の爪部３２ｃとが引っ掛かる構成となっている。これにより一対の分割筒体１０，２０は互いにロックされることとなる。
【００１８】
取付部４０は、被係止部３２に近接配置された舌片であって、例えば開口を有して車両側からの延びるブラケット等の開口が嵌め込まれることで車両側に取り付けられる構成となっている。
【００１９】
さらに、第１分割筒体１０及び第２分割筒体２０は、内周面１０ａ，２０ａに周状に延びる突条１１，２１を備えている。突条１１，２１はそれぞれの内周面１０ａ，２０ａに例えば複数設けられている。これらの突条１１，２１は、コルゲートチューブ１００の凹部１０１に嵌まり込む程度の幅を有して構成されている。
【００２０】
さらに、本実施形態において突条１１，２１は鋸刃形状（破断形状の一例）となっている。図４は、図１〜図３に示した突条１１，２１の一部拡大図である。図４に示すように、突条１１，２１は、側面視して半円形状の窪みＤが連続する鋸刃形状とされている。このような突条１１，２１は、窪みＤ同士の連結部が突出端ＰＥとなっている。また、突条１１，２１は、根元から突出端ＰＥに向けて幅が狭まるように形成されており、突出端ＰＥにおいて刃の切先を形成するようにされている。
【００２１】
本実施形態に係るコルゲートクランプ１は、このような突条１１，２１を有することから、一対の分割筒体１０，２０の自由端側をロックさせるべく一対の分割筒体１０，２０を筒状に組み合わせる操作時に、切先となる突出端ＰＥを利用してコルゲートチューブ１００上のテープＴを破断することができる。なお、突条１１，２１は半円形状の窪みＤが連続する鋸刃形状に限ることなく、テープＴを破断できる形状であれば、単なる切り出し刃や平刃などであってもよい。
【００２２】
さらに、本実施形態に係る一対の分割筒体１０，２０は、筒両端側にコルゲートチューブ１００の長手方向且つ内側に延設されるスカート部１２，２２を備えている。スカート部１２，２２は、弾性変形可能な薄さに形成されており、一対の分割筒体１０，２０を筒状に組み合わせてコルゲートチューブ１００を保持したときに、コルゲートチューブ１００上のテープＴに対して弾性押圧する構成となっている。
【００２３】
次に、本実施形態に係るコルゲートクランプ１によるコルゲートチューブ１００の装着方法について説明する。図５は、一対の分割筒体１０，２０の組み付け前におけるコルゲートクランプ１の断面を示す概略図であり、図６は、一対の分割筒体１０，２０の組み付け後におけるコルゲートクランプ１の断面を示す概略図である。なお、図５及び図６は、図２に示すＡ−Ａ箇所における組み付け前後の断面を示している。
【００２４】
まず、作業者は、テープ巻きされたコルゲートチューブ１００を図２に示すように第２分割筒体２０に対して取り付ける。ここで、第２分割筒体２０の突条２１は図４に示した鋸刃形状となっている。このため、コルゲートチューブ１００を第２分割筒体２０に対して取り付けた場合には、図５に示すように、突条２１がテープＴを破断してコルゲートチューブ１００の凹部１０１に入り込む。
【００２５】
次いで、作業者は、第１分割筒体１０を図１に示す矢印方向に回動させて係止部３１と被係止部３２との爪部３２ｃ同士をロックさせる。ここで、第１分割筒体１０の突条１１についても鋸刃形状となっていることから、図６に示すように、突条１１がテープＴを破断してコルゲートチューブ１００の凹部１０１に入り込む。
【００２６】
さらに、ロック後の状態において第１分割筒体１０及び第２分割筒体２０のスカート部１２，２２は、コルゲートチューブ１００上のテープＴを弾性押圧する。これにより、テープＴは押さえ付けられた状態となり、突条１１，２１によって破断したテープＴの破れが拡大していく事態を防止するようになる。
【００２７】
このようにして、本実施形態に係るコルゲートクランプ１によれば、突条１１，２１は、一対の分割筒体１０，２０の自由端側をロックさせるべく、一対の分割筒体１０，２０を筒状に組み合わせる操作時にコルゲートチューブ１００上のテープＴを破断する破断形状となっているため、一対の分割筒体１０，２０を筒状に組み合わせる操作時にテープＴを破断して、意図的にテープ巻きの未設定区間を形成することなくコルゲートクランプ１を装着させることができる。従って、加工費の増加を抑えつつ、コルゲートチューブ１００のテープ巻きされる箇所への装着について容易化を図ることができる。
【００２８】
また、コルゲートチューブ１００の長手方向に延設されると共に、一対の分割筒体１０，２０を筒状に組み合わせた際に、コルゲートチューブ１００上のテープＴに対して弾性押圧するスカート部１２，２２を有するため、スカート部１２，２２によってテープＴを押さえることで破断されたテープＴの破れ拡大の可能性を低減することができる。
【００２９】
以上、実施形態に基づき本発明を説明したが、本発明は上記実施形態に限られるものではなく、本発明の趣旨を逸脱しない範囲で、変更を加えてもよい。さらには、可能な範囲で適宜他の技術を組み合わせてもよい。
【００３０】
例えば本実施形態において突条１１，２１は、コルゲートチューブ１００を固定可能であれば、一方のみが半円形状の窪みＤが連続する鋸刃形状（破断形状）であり、他方が破断形状でないものであってもよい。さらに、コルゲートチューブ１００を固定可能であれば、突条１１，２１が一対の分割筒体１０，２０のうち一方のみに設けられてもよい。
【符号の説明】
【００３１】
１      ：コルゲートクランプ
１０，２０  ：一対の分割筒体
１１，２１    ：突条
１２，２２    ：スカート部
５０    ：ヒンジ
１００  ：コルゲートチューブ
１０１  ：凹部
１０２  ：凸部
Ｔ      ：テープ
【図１】
2020061879.tif 000003
【図２】
2020061879.tif 000004
【図３】
2020061879.tif 000005
【図４】
2020061879.tif 000006
【図５】
2020061879.tif 000007
【図６】
2020061879.tif 000008